【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
遊技に使用可能な遊技用有価価値の大きさを特定可能な有価価値特定情報及び遊技者並びに該遊技者が所持する遊技者特定用記録媒体を特定可能とするために固有に付与された遊技者特定情報が記録された遊技者特定用記録媒体を受け付け、該受け付けた遊技者特定用記録媒体の記録情報を読み取るとともに、該読み取った有価価値特定情報から特定される遊技用有価価値の大きさを遊技に使用できるようにするための使用処理を行う記録媒体処理装置と、
該記録媒体処理装置とデータ通信可能に接続され、前記遊技者特定用記録媒体を特定可能な遊技者特定情報と該遊技者が所有する遊技用有価価値の大きさとが対応付けて登録された記録媒体データベースを有し、各遊技者特定用記録媒体の遊技用有価価値の大きさを管理する記録媒体管理装置と、
前記遊技者特定用記録媒体に記録された前記遊技者特定情報と該遊技者特定用記録媒体の遊技者への発行に際して受け付けた該遊技者に関する遊技者帰属情報とが対応付けて登録された遊技者データベースを有し、各遊技者特定用記録媒体の発行を受けた遊技者の遊技者帰属情報を前記遊技者データベースを用いて管理する遊技者管理装置と、
を備える遊技用システムであって、
前記記録媒体管理装置と遊技者管理装置とがデータ通信可能に接続されているとともに、
前記記録媒体管理装置は、前記遊技者特定用記録媒体を遊技場に納入する納入元から送信される前記発行に使用可能な遊技者特定用記録媒体の遊技者特定情報を受信して前記記録媒体データベースに登録するとともに、該受信した遊技者特定情報を前記遊技者管理装置に送信し、
前記遊技者管理装置は、前記記録媒体管理装置から送信されてきた前記遊技者特定情報を前記発行に使用可能な遊技者特定用記録媒体の遊技者特定情報として前記遊技者データベースに登録するとともに、前記遊技者データベースにおける遊技者特定情報と遊技者帰属情報との登録状況に基づいて未発行の遊技者特定用記録媒体の枚数を出力することを特徴とする遊技用システム。
【手続補正２】
【補正対象書類名】明細書
【補正対象項目名】０００７
【補正方法】変更
【補正の内容】
【０００７】
前記した問題を解決するために、本発明の遊技用システムは、遊技に使用可能な遊技用有価価値の大きさを特定可能な有価価値特定情報及び遊技者並びに該遊技者が所持する遊技者特定用記録媒体を特定可能とするために固有に付与された遊技者特定情報が記録された遊技者特定用記録媒体を受け付け、該受け付けた遊技者特定用記録媒体の記録情報を読み取るとともに、該読み取った有価価値特定情報から特定される遊技用有価価値の大きさを遊技に使用できるようにするための使用処理を行う記録媒体処理装置と、
該記録媒体処理装置とデータ通信可能に接続され、前記遊技者特定用記録媒体を特定可能な遊技者特定情報と該遊技者が所有する遊技用有価価値の大きさとが対応付けて登録された記録媒体データベースを有し、各遊技者特定用記録媒体の遊技用有価価値の大きさを管理する記録媒体管理装置と、
前記遊技者特定用記録媒体に記録された前記遊技者特定情報と該遊技者特定用記録媒体の遊技者への発行に際して受け付けた該遊技者に関する遊技者帰属情報とが対応付けて登録された遊技者データベースを有し、各遊技者特定用記録媒体の発行を受けた遊技者の遊技者帰属情報を前記遊技者データベースを用いて管理する遊技者管理装置と、
を備える遊技用システムであって、
前記記録媒体管理装置と遊技者管理装置とがデータ通信可能に接続されているとともに、
前記記録媒体管理装置は、前記遊技者特定用記録媒体を遊技場に納入する納入元から送信される前記発行に使用可能な遊技者特定用記録媒体の遊技者特定情報を受信して前記記録媒体データベースに登録するとともに、該受信した遊技者特定情報を前記遊技者管理装置に送信し、
前記遊技者管理装置は、前記記録媒体管理装置から送信されてきた前記遊技者特定情報を前記発行に使用可能な遊技者特定用記録媒体の遊技者特定情報として前記遊技者データベースに登録するとともに、前記遊技者データベースにおける遊技者特定情報と遊技者帰属情報との登録状況に基づいて未発行の遊技者特定用記録媒体の枚数を出力することを特徴としている。
この特徴によれば、前記記録媒体管理装置にて受け付けられた新規に発行可能な遊技者特定用記録媒体の遊技者特定情報が、前記遊技者管理装置に送信されて新規に発行可能な遊技者特定用記録媒体として登録されるようになるため、遊技者特定用記録媒体の発行に必要な前記遊技者特定情報の登録作業を簡便且つ正確に実施することができる。また、遊技者に対して未発行（未使用）の遊技者特定用記録媒体の枚数を容易に確認できるようになり、該遊技者特定用記録媒体の追加購入等の判断を行う際に便利である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】０２１３
【補正方法】変更
【補正の内容】
【０２１３】
本発明の請求項１は、遊技に使用可能な遊技用有価価値（度数）の大きさを特定可能な有価価値特定情報（入金ＩＤ、度数）及び遊技者（会員）並びに該遊技者が所持する遊技者特定用記録媒体（会員カード３７）を特定可能とするために固有に付与された遊技者特定情報（会員ＩＤ、会員カードＩＤ）が記録された遊技者特定用記録媒体（会員カード３７）を受け付け、該受け付けた遊技者特定用記録媒体（会員カード３７）の記録情報を読み取るとともに、該読み取った有価価値特定情報（入金ＩＤ、度数）から特定される遊技用有価価値（度数）の大きさを遊技に使用できるようにするための使用処理（貸出処理）を行う記録媒体処理装置（カードユニット３）と、該記録媒体処理装置（カードユニット３）とデータ通信可能に接続され、前記遊技者特定用記録媒体（会員カード３７）を特定可能な遊技者特定情報（会員ＩＤ、会員カードＩＤ）と該遊技者が所有する遊技用有価価値（度数）の大きさとが対応付けて登録された記録媒体データベース（会員カードマスターテーブル）を有し、各遊技者特定用記録媒体（会員カード３７）の遊技用有価価値（度数）の大きさを管理する記録媒体管理装置（システムコントローラ１００）と、前記遊技者特定用記録媒体（会員カード３７）に記録された前記遊技者特定情報（会員ＩＤ、会員カードＩＤ）と該遊技者特定用記録媒体の遊技者への発行に際して受け付けた該遊技者に関する遊技者帰属情報（会員帰属情報）とが対応付けて登録された遊技者データベース（会員情報テーブル）を有し、各遊技者特定用記録媒体（会員カード３７）の発行を受けた遊技者の遊技者帰属情報を前記遊技者データベースを用いて管理する遊技者管理装置（会員管理コンピュータ１２０）と、を備える遊技用システムであって、前記記録媒体管理装置（システムコントローラ１００）と遊技者管理装置（会員管理コンピュータ１２０）とがデータ通信可能に接続されているとともに、前記記録媒体管理装置（システムコントローラ１００）は、前記遊技者特定用記録媒体（会員カード３７）を遊技場に納入する納入元（カード会社）から送信される前記発行に使用可能な遊技者特定用記録媒体（会員カード３７）の遊技者特定情報（会員ＩＤ、会員カードＩＤ）を受信して前記記録媒体データベース（会員カードマスターテーブル）に登録するとともに、該受信した遊技者特定情報
（会員ＩＤ、会員カードＩＤ）を前記遊技者管理装置（会員管理コンピュータ１２０）に送信し、前記遊技者管理装置（会員管理コンピュータ１２０）は、前記記録媒体管理装置（システムコントローラ１００）から送信されてきた前記遊技者特定情報（会員ＩＤ、会員カードＩＤ）を前記発行に使用可能な遊技者特定用記録媒体（会員カード３７）の遊技者特定情報（会員ＩＤ、会員カードＩＤ）として前記遊技者データベースに登録するとともに、前記遊技者データベースにおける遊技者特定情報と遊技者帰属情報との登録状況に基づいて未発行の遊技者特定用記録媒体の枚数を出力する。
【手続補正１３】
【補正対象書類名】明細書
【補正対象項目名】０２１４
【補正方法】削除
【補正の内容】
【手続補正１４】
【補正対象書類名】明細書
【補正対象項目名】０２１５
【補正方法】削除
【補正の内容】
【手続補正１５】
【補正対象書類名】明細書
【補正対象項目名】０２１６
【補正方法】削除
【補正の内容】
【手続補正１６】
【補正対象書類名】明細書
【補正対象項目名】０２１７
【補正方法】削除
【補正の内容】
【手続補正１７】
【補正対象書類名】明細書
【補正対象項目名】０２１８
【補正方法】削除
【補正の内容】
【手続補正１８】
【補正対象書類名】明細書
【補正対象項目名】０２１９
【補正方法】削除
【補正の内容】
【手続補正１９】
【補正対象書類名】明細書
【補正対象項目名】０２２０
【補正方法】削除
【補正の内容】
【手続補正２０】
【補正対象書類名】明細書
【補正対象項目名】０２２１
【補正方法】削除
【補正の内容】
【手続補正２１】
【補正対象書類名】明細書
【補正対象項目名】０２２２
【補正方法】削除
【補正の内容】